【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
本体と、
ネジ、ループ、クリップ、クランプ、または留め具の少なくとも1つによって患者の身体内部の組織に付着するように適合された、前記本体の第1の末端と、
留置装置と係合されかつ留置装置から解放されるように設計されたインターフェースを含む、前記第1の末端の反対にある前記本体の第2の末端であって、前記インターフェースが、留置装置から磁気エネルギーまたは力学的エネルギーの少なくとも1つを受け取るように適合されている、前記本体の第2の末端と
を含み、体外装置の使用によって患者の身体内部の組織を牽引するように前記本体が適合されている、体内装置；
中心部および周辺端部を含み、可動性であり、かつ患者の身体に極めて接近して留置されるように適合された本体と、
前記本体に連結された磁気エネルギー源と
を含み、患者の組織が牽引され得るように患者の身体内部の組織に付着している体内装置へと磁気エネルギーを送るように前記本体が適合されている、体外装置；ならびに
本体と、
前記本体の第1の末端に近接し、かつ体内装置を選択的に係合および解放するように適合されたコネクタであって、前記本体の前記第1の末端がシャフトを含む、コネクタと、
体内装置を係合および解放するために前記コネクタを制御するように前記コネクタに動作可能に接続され、遠位端で体内装置と係合するように設計され、かつ患者の体内に体内装置を留置して解放するように適合された、前記本体の第2の末端に近接した第1のインターフェースと、
レバー、ばね、ボタン、引き金、回転可能なノブ、または鋏状の機構の少なくとも1つを含み、留置装置から体内装置へと力学的エネルギーを送るように適合された、前記第2の末端に近接した第2のインターフェースと
を含む留置装置
を含む外科手術システム。
【請求項２】
体内装置が患者の体内に留置された後、体内装置、体外装置、および留置装置の少なくとも1つを滅菌するためのオートクレーブをさらに含む、請求項1記載の外科手術システム。
【請求項３】
患者の身体の汚染を阻止するために、第1の体外装置を少なくとも部分的に覆う滅菌済みカバーをさらに含む、請求項1記載の外科手術システム。
【請求項４】
本体と、
前記本体の第1の末端に近接し、かつ体内装置を選択的に係合および解放するように適合されたコネクタであって、前記本体の前記第1の末端がシャフトを含む、コネクタと、
体内装置を係合および解放するために前記コネクタを制御するように前記コネクタに動作可能に接続され、遠位端で体内装置と係合するように設計され、かつ患者の体内に体内装置を留置して解放するように適合された、前記本体の第2の末端に近接した第1のインターフェースと、
レバー、ばね、ボタン、引き金、回転可能なノブ、および鋏状の機構の少なくとも1つを含み、留置装置から体内装置へと力学的エネルギーを送るように適合された、前記第2の末端に近接した第2のインターフェースと
を含む留置装置。
【請求項５】
レバー、ボタン、引き金、および回転可能なノブの少なくとも1つに送られた力学的エネルギーに応答して、ピストンによって、体内装置が開くことおよび体内装置が閉じることの少なくとも一方がもたらされる、請求項4記載の留置装置。
【請求項６】
磁気エネルギーに応答する材料が、第1のインターフェースに応答してシャフト内を動く、請求項4記載の留置装置。
【請求項７】
体内装置との係合を助けるために、第1の末端に近接した磁石をさらに含む、請求項4記載の留置装置。
【請求項８】
磁石が第1のインターフェースに連結されており、かつ
前記磁石が、前記第1のインターフェースに応答してシャフト内を動く、
請求項7記載の留置装置。
【請求項９】
磁石が電磁石である、請求項7記載の留置装置。
【請求項１０】
電磁石に電力を供給するために、留置装置の第2の末端に近接した着脱可能な電磁石電源をさらに含む、請求項9記載の留置装置。
【請求項１１】
磁石が、留置装置の第1の末端にある再密封可能なチャンバに入れられている、請求項7記載の留置装置。
【請求項１２】
体内装置の末端にある1つまたは複数の隆起または溝と位置が合う、第1の末端に近接した1つまたは複数の隆起または溝をさらに含む、請求項5記載の留置装置。
【請求項１３】
コネクタが、
第1のインターフェースに応答し、かつ体内装置にある溝の中に嵌め合い式に収まるように適合された可動性タブ
を含む、請求項4記載の留置装置。
【請求項１４】
第1のインターフェースが、外部装置との電気接続を含む、請求項4記載の留置装置。
【請求項１５】
第2のインターフェースが、外部装置との電気接続を含む、請求項4記載の留置装置。
【請求項１６】
ネジ、ループ、クリップ、クランプ、または留め具の少なくとも1つによって患者の身体内部の組織に付着するように適合された第1の末端と、
留置装置と係合されかつ留置装置から解放されるように設計されたインターフェースを含む、前記第1の末端の反対にある第2の末端であって、前記インターフェースが、留置装置から磁気エネルギーおよび力学的エネルギーの少なくとも1つを受け取るように適合されている、第2の末端と
を含む、体内装置。
【請求項１７】
体内装置が留置装置から解放されている時に、ロッキング機構によって、ネジ、ループ、クリップ、クランプ、または留め具の少なくとも1つを正しい位置に保持することが可能になる、請求項16記載の体内装置。
【請求項１８】
留置装置の末端にある1つまたは複数の隆起または溝と位置が合う、第2の末端に近接した1つまたは複数の隆起または溝をさらに含む、請求項16記載の体内装置。
【請求項１９】
本体の少なくとも一部を取り囲むプラスチックシェルと、
第2の末端に近接した再密封可能なチャンバと、
前記再密封可能なチャンバの中に入れられ、前記再密封可能なチャンバから取り出すことができる永久磁石と
をさらに含む、請求項16記載の体内装置。
【請求項２０】
第2の末端に近接した再密封可能なチャンバと、
前記再密封可能なチャンバの中に入れられた永久磁石と
をさらに含む体内装置であって、
本体が、磁気的に不活性な金属を含む、
請求項16記載の体内装置。
【請求項２１】
コネクタおよび該コネクタに接続された任意の物体を本体の軸に沿って回転させるように該コネクタに動作可能に接続された、本体の第2の末端に近接した第3のインターフェースをさらに含む、請求項16記載の体内装置。
【請求項２２】
インターフェースにより送られたエネルギーによってネジが回る、請求項16記載の体内装置。
【請求項２３】
ネジが、該ネジが回った場合に物体を係合するように適合されている、請求項22記載の体内装置。
【請求項２４】
インターフェースにより送られたエネルギーによってループが締まる、または緩まる、請求項16記載の体内装置。
【請求項２５】
ループが、該ループが締まった場合に物体を係合するように適合されている、請求項24記載の体内装置。
【請求項２６】
インターフェースにより送られたエネルギーによってクリップが開く、または閉じる、請求項16記載の体内装置。
【請求項２７】
クリップが、該クリップが閉じた場合に物体を留めるように適合されている、請求項26記載の体内装置。
【請求項２８】
インターフェースにより送られたエネルギーによってクランプが開く、または閉じる、請求項16記載の体内装置。
【請求項２９】
クランプが、該クランプが閉じた場合に1つまたは複数の物体を締め付けるように適合されている、請求項28記載の体内装置。
【請求項３０】
インターフェースにより送られたエネルギーによって留め具が動く、請求項16記載の体内装置。
【請求項３１】
留め具が、該留め具が動いた場合に物体を係合するように適合されている、請求項30記載の体内装置。
【手続補正２】
【補正対象書類名】明細書
【補正対象項目名】００１０
【補正方法】変更
【補正の内容】
【００１０】
前記のシステムは、体内の物体および臓器に付着するために、ネジ、ループ、クリップ、クランプなどの様々な留め具を使用する。外科医がさらなる腹部ポートを設置することなく腹腔内の臓器および物体を制御するのを可能にするために、これらの留め具は、三次元空間内で、直接的または間接的に、電場または電磁場による影響を受けることができるか、電場または電磁場によって操作することができる。次いで、留め具は、これらを腹部に留置するために用いられた長い器具から脱着される。次いで、磁場源、例えば、磁石または電磁石を含む装置が腹部外に配置される。この装置によって発生した磁場は、腹部内の物体または臓器に付着された留め具を操作するのに用いられ、これにより、外科医は、腹腔内機器を用いることなく、またはさらなるポートを設置することなく、腹部の周囲にある物体を牽引するか、または適切な場所に置くことができる。
[請求項1001]
本体と、
本体の第1の末端に近接し、かつ体内装置を選択的に係合および解放するように適合されたコネクタと、
体内装置を係合および解放するために前記コネクタを制御するように前記コネクタに動作可能に接続された、本体の第2の末端に近接した第1のインターフェースと、
留置装置から体内装置へと力学的エネルギーを送るように適合された、第2の末端に近接した第2のインターフェースと
を含む留置装置。
[請求項1002]
磁気エネルギーに応答する材料をさらに含む、請求項1001記載の留置装置。
[請求項1003]
本体の第1の末端がシャフトを含み、
磁気エネルギーに応答する材料が第1のインターフェースに連結されており、かつ
前記磁気エネルギーに応答する材料が、前記第1のインターフェースに応答して前記シャフト内を動く、
請求項1002記載の留置装置。
[請求項1004]
体内装置との係合を助けるために、第1の末端に近接した磁石をさらに含む、請求項1001記載の留置装置。
[請求項1005]
本体の第1の末端がシャフトを含み、
磁石が第1のインターフェースに連結されており、かつ
前記磁石が、前記第1のインターフェースに応答して前記シャフト内を動く、
請求項1004記載の留置装置。
[請求項1006]
磁石が電磁石である、請求項1004記載の留置装置。
[請求項1007]
電磁石に電力を供給するために、留置装置の第2の末端に近接した着脱可能な電磁石電源をさらに含む、請求項1006記載の留置装置。
[請求項1008]
磁石が、留置装置の第1の末端にある再密封可能なチャンバに入れられている、請求項1004記載の留置装置。
[請求項1009]
体内装置の末端にある1つまたは複数の隆起または溝と位置が合う、第1の末端に近接した1つまたは複数の隆起または溝をさらに含む、請求項1002記載の留置装置。
[請求項1010]
本体が、一端に近接したシャフトを含む、請求項1001記載の留置装置。
[請求項1011]
コネクタが、
第1のインターフェースに応答し、かつ体内装置にある溝の中に嵌め合い式に収まるように適合された可動性タブ
を含む、請求項1001記載の留置装置。
[請求項1012]
第1のインターフェースがレバーを含む、請求項1001記載の留置装置。
[請求項1013]
第1のインターフェースがボタンを含む、請求項1001記載の留置装置。
[請求項1014]
第1のインターフェースが、外部装置との電気接続を含む、請求項1001記載の留置装置。
[請求項1015]
第2のインターフェースがレバーを含む、請求項1001記載の留置装置。
[請求項1016]
第2のインターフェースが引き金を含む、請求項1001記載の留置装置。
[請求項1017]
第2のインターフェースがばねを含む、請求項1001記載の留置装置。
[請求項1018]
第2のインターフェースが、外部装置との電気接続を含む、請求項1001記載の留置装置。
[請求項1019]
シャフトによって分けられている第1の末端と第2の末端とを有する留置装置であって、
第1の末端が、体内装置を選択的に係合および解放するように適合されており、
第2の末端に近接した第1のレバーが、体内装置を係合および解放するためにコネクタを制御するように該コネクタに動作可能に接続されており、
第2の末端に近接した第2のレバーが、留置装置から体内装置へと力学的エネルギーを送るように動作可能に接続されるように適合されており、
第1の末端に近接した電磁石が、体内器具を係合するのを助ける、
留置装置。
[請求項1020]
本体と、
物体に付着するように適合された、本体の第1の末端と、
留置装置と係合されかつ留置装置から解放されるように適合された、本体の第2の末端と
を含む体内装置。
[請求項1021]
第2の末端が強磁性材料を含む、請求項1020記載の体内装置。
[請求項1022]
第2の末端が永久磁石材料を含む、請求項1020記載の体内装置。
[請求項1023]
留置装置の末端にある1つまたは複数の隆起または溝と位置が合う、第2の末端に近接した1つまたは複数の隆起または溝をさらに含む、請求項1020記載の体内装置。
[請求項1024]
本体の少なくとも一部を取り囲むプラスチックシェルと、
第2の末端に近接した再密封可能なチャンバと、
前記再密封可能なチャンバの中に入れられ、前記再密封可能なチャンバから取り出すことができる永久磁石と
をさらに含む、請求項1020記載の体内装置。
[請求項1025]
第2の末端に近接した再密封可能なチャンバと、
前記再密封可能なチャンバの中に入れられた永久磁石と
をさらに含む体内装置であって、
本体が、磁気的に不活性な金属を含む、
請求項1020記載の体内装置。
[請求項1026]
コネクタおよび該コネクタに接続された任意の物体を本体の軸に沿って回転させるように該コネクタに動作可能に接続された、本体の第2の末端に近接した第3のインターフェースをさらに含む、請求項1020記載の体内装置。
[請求項1027]
留置装置からエネルギーを受け取るように適合されたインターフェースをさらに含む、請求項1020記載の体内装置。
[請求項1028]
エネルギーが磁気エネルギーを含む、請求項1027記載の体内装置。
[請求項1029]
本体の第1の末端に配置されたネジをさらに含む、請求項1027記載の体内装置。
[請求項1030]
インターフェースにより送られたエネルギーによってネジが回る、請求項1029記載の体内装置。
[請求項1031]
ネジが、該ネジが回った場合に物体を係合するように適合されている、請求項1030記載の体内装置。
[請求項1032]
本体の第1の末端に配置されたループをさらに含む、請求項1027記載の体内装置。
[請求項1033]
インターフェースにより送られたエネルギーによってループが締まる、または緩まる、請求項1032記載の体内装置。
[請求項1034]
ループが、該ループが締まった場合に物体を係合するように適合されている、請求項1033記載の体内装置。
[請求項1035]
本体の第1の末端に配置されたクリップをさらに含む、請求項1027記載の体内装置。
[請求項1036]
インターフェースにより送られたエネルギーによってクリップが開く、または閉じる、請求項1035記載の体内装置。
[請求項1037]
クランプが、クリップが閉じた場合に物体を留めるように適合されている、請求項1036記載の体内装置。
[請求項1038]
本体の第1の末端に配置されたクランプをさらに含む、請求項1027記載の体内装置。
[請求項1039]
インターフェースにより送られたエネルギーによってクランプが開く、または閉じる、請求項1038記載の体内装置。
[請求項1040]
クランプが、該クランプが閉じた場合に1つまたは複数の物体を締め付けるように適合されている、請求項1039記載の体内装置。
[請求項1041]
本体の第1の末端に配置された留め具をさらに含む、請求項1027記載の体内装置。
[請求項1042]
インターフェースにより送られたエネルギーによって留め具が動く、請求項1041記載の体内装置。
[請求項1043]
留め具が、該留め具が動いた場合に物体を係合するように適合されている、請求項1042記載の体内装置。
[請求項1044]
本体と、
留置装置と係合されかつ留置装置から解放されるように適合されたドッキングポートを含む、本体の第1の末端と、
留置装置が体内装置にエネルギーを送るのを可能にするインターフェースと、
インターフェースにより送られたエネルギーを受け取ることによって動かされる、ネジ、ループ、クリップ、クランプ、または留め具と
を含む体内装置であって、
本体が、強磁性材料または永久磁石材料を含む、
体内装置。
[請求項1045]
中心部および周辺端部を含む本体と、
本体に取り付けられたハンドルと、
本体に連結された磁気エネルギー源と
を含む体外装置。
[請求項1046]
中心部が、カップを形成するように周辺端部よりも高くなっている、請求項1045記載の体外装置。
[請求項1047]
本体が、医学的に不活性なプラスチックで少なくとも部分的にコーティングされている、請求項1045記載の体外装置。
[請求項1048]
周辺端部が、磁気的に不活性な金属を含む、請求項1045記載の体外装置。
[請求項1049]
本体を少なくとも部分的に包むカバーをさらに含む、請求項1045記載の体外装置。
[請求項1050]
本体の周辺端部を覆う、形状に合った(form-fitting)ブーツを含む、請求項1045記載の体外装置。
[請求項1051]
再密封可能なチャンバを中心部の内側にさらに含む体外装置であって、
磁気エネルギー源が、前記再密封可能なチャンバの中に入れられている、
請求項1045記載の体外装置。
[請求項1052]
磁気エネルギー源が、調節可能な電磁石を含む、請求項1045記載の体外装置。
[請求項1053]
磁気エネルギー源が永久磁石を含む、請求項1045記載の体外装置。
[請求項1054]
永久磁石が、希土類磁石、ネオジム磁石、アルニコ磁石、またはサマリウムコバルト磁石を含む、請求項1053記載の体外装置。
[請求項1055]
体外装置の周辺端部が潤滑剤で処理(lubricate)されている、請求項1045記載の体外装置。
[請求項1056]
体外装置の周辺端部が磁気エネルギー源を含む、請求項1045記載の体外装置。
[請求項1057]
磁気エネルギー源が、継手によって中心部に接続されている、請求項1045記載の体外装置。
[請求項1058]
継手が、関節接続可能な(articulable)継手を含む、請求項1057記載の体外装置。
[請求項1059]
中心部の外側と中心部の内側とを接続するポートをさらに含む体外装置であって、
ポートが、中心部の内側の圧力を上げるおよび下げるために空気ポンプに接続されるように適合されている、
請求項1045記載の体外装置。
[請求項1060]
体外装置をある位置に保持するためにアンカーをさらに含む、請求項1045記載の体外装置。
[請求項1061]
アンカーが、患者の身体に付着するように適合されている、請求項1060記載の体外装置。
[請求項1062]
アンカーが、手術台に付着するように適合されている、請求項1060記載の体外装置。
[請求項1063]
粘着物が、本体の底面に配置されている、請求項1045記載の体外装置。
[請求項1064]
垂直に動いて、本体の底面と位置が合うように、および本体の底面から離れて上がるように適合された、本体を取り囲む縁と、
患者の身体の外側に密着するように縁の底面に配置された粘着物と
をさらに含む、請求項1045記載の体外装置。
[請求項1065]
エネルギーに応答する体内装置を、留置装置に付着させる工程;
患者の身体に入る穴を通じて体内装置を通す工程;
前記体内装置を物体に付着させる工程;および
患者の外部にありかつ体内装置に極めて接近している体外装置を動かして、体内装置にエネルギーを供給し、前記物体を適切な場所に置く工程
を含む、患者の体内の物体を操作する方法。
[請求項1066]
トロカールが、患者の身体に入る穴に配置される、請求項1065記載の方法。
[請求項1067]
トロカールが、患者の身体に入る穴の厚さを測定するために、その外面にグラデーションをさらに含む、請求項1066記載の方法。
[請求項1068]
留置装置が、
本体と、
本体の第1の末端に近接し、かつ体内装置を選択的に係合および解放するように適合されたコネクタと
を含む、請求項1065記載の方法。
[請求項1069]
体内装置が、物体に付着するように適合された第1の末端と、留置装置と係合されかつ留置装置から解放されるように適合された第2の末端とを有する本体を含む、請求項1065記載の方法。
[請求項1070]
体外装置が、本体と、本体に取り付けられたハンドルと、本体に連結された磁気エネルギー源とを含む、請求項1065記載の方法。
[請求項1071]
体外装置が、本体と、本体に取り付けられたハンドルと、本体に連結された磁石とを含む、方法であって、
トロカール上のグラデーションによって測定される患者の身体に入る穴の厚さに応じた、患者の身体内部の体内装置と相互作用するのに必要な強度に応じて、複数の磁石から磁石を選択する工程
をさらに含む、請求項1067記載の方法。
[請求項1072]
体外装置が、本体と、本体に取り付けられたハンドルと、本体に連結された電磁石とを含む、方法であって、
トロカール上のグラデーションによって測定される患者の身体に入る穴の厚さに応じた、患者の身体内部の体内装置と相互作用するのに必要な強度に応じて、電磁石に加える電流を選択する工程
をさらに含む、請求項1067記載の方法。
[請求項1073]
物体がヒト組織を含む、請求項1065記載の方法。
[請求項1074]
ヒト組織が非管腔臓器を含む、請求項1073記載の方法。
[請求項1075]
非管腔臓器が卵巣を含む、請求項1074記載の方法。
[請求項1076]
ヒト組織が子宮を含む、請求項1073記載の方法。
[請求項1077]
ヒト組織が腸の一区画を含む、請求項1073記載の方法。
[請求項1078]
ヒト組織が胃を含む、請求項1073記載の方法。
[請求項1079]
ヒト組織が胆嚢を含む、請求項1073記載の方法。
[請求項1080]
物体が医療装置を含む、請求項1073記載の方法。
[請求項1081]
患者の体外で、体内装置を留置装置の第1の末端に係合する工程;
留置装置に力を加えることによって、患者の身体の穴を通じて体内装置を通す工程;
留置装置を使用して、患者の体内の物体の近くに体内装置を置く工程;
体内装置を物体に付着させる工程;
留置装置から体内装置を解放する工程;
体外装置を用いて体内装置を適切な場所に置く工程;
穴を介して患者の身体から留置装置を牽引する工程;
患者の身体の穴を通じて留置装置を再挿入する工程;
体内装置を留置装置の第1の末端に係合する工程;
穴を介して患者の身体から留置装置および体内装置を牽引する工程
をさらに含む、請求項1068記載の方法。
[請求項1082]
複数の体内装置から体内装置を選択する工程;
患者の体外で、体内装置を留置装置の第1の末端に係合する工程;
留置装置に力を加えることによって、患者の身体の穴を通じて体内装置を通す工程;
留置装置を使用して、患者の体内の物体の近くに体内装置を置く工程;
留置装置を介して体内装置に力を加えて、体内装置を前記物体に付着させる工程;
留置装置から体内装置を解放する工程;
穴を介して患者の身体から留置装置を牽引する工程;
複数の体外装置から、磁気エネルギー源を有する体外装置を選択する工程;
患者の外部にありかつ体内装置に極めて接近している前記体外装置を動かして、体内装置にエネルギーを供給し、前記物体を適切な場所に置く工程;
体外装置を患者から取り外す工程;
患者の身体の穴を通じて留置装置を再挿入する工程;
体内装置を、患者の身体内部にある留置装置の第1の末端に係合する工程;および
穴を介して患者の身体から留置装置および体内装置を牽引する工程
を含む、患者の体内の物体を操作する方法。
[請求項1083]
エネルギー源と同期して体内装置を適切な場所に置くように、エネルギー源の関節接続可能な接続を調節する工程をさらに含む、請求項1082記載の方法。
[請求項1084]
低下した磁力を有する永久磁石材料を有するマグナレトラクタ(magnaretractor)装置の第1の末端と嵌合する第1の部分を有する本体と、
前記マグナレトラクタ装置の永久磁石材料を再磁化する、本体内部に配置された磁石源と
を含む、再磁化装置(remagnetizer)。
[請求項1085]
マグナレトラクタ装置が留置装置を含む、請求項1084記載の再磁化装置。
[請求項1086]
マグナレトラクタ装置が体内装置を含む、請求項1084記載の再磁化装置。
[請求項1087]
マグナレトラクタ装置が体外装置を含む、請求項1084記載の再磁化装置。
[請求項1088]
前の外科手術において以前に用いられたマグナレトラクタ装置を、オートクレーブに入れる工程;および
後の外科手術用にマグナレトラクタ装置を準備するために、オートクレーブにおいてマグナレトラクタ装置を滅菌する工程
を含む、外科手術準備方法。
[請求項1089]
マグナレトラクタ装置が永久磁石を含む、方法であって、
オートクレーブにおいてマグナレトラクタ装置を滅菌した後に、前記マグナレトラクタ装置の永久磁石を再磁化する工程をさらに含む、請求項1088記載の方法。
[請求項1090]
前の外科手術において以前に用いられ、かつ再密封可能なチャンバと永久磁石とを含む第1のマグナレトラクタ装置を提供する工程;
第1のマグナレトラクタ装置の再密封可能なチャンバを開封する工程;
第1のマグナレトラクタ装置の再密封可能なチャンバから永久磁石を取り出す工程;
再密封可能なチャンバを有する第2のマグナレトラクタ装置を提供する工程;
前記永久磁石を、第2のマグナレトラクタ装置の再密封可能なチャンバに入れる工程;および
第2のマグナレトラクタ装置の再密封可能なチャンバを密封する工程
を含む、外科手術準備方法。
[請求項1091]
第2のマグナレトラクタ装置の再密封可能なチャンバを密封した後に、後の外科手術において第2のマグナレトラクタ装置を使用する工程をさらに含む、請求項1090記載の方法。
[請求項1092]
前の外科手術において以前に用いられ、かつ再密封可能なチャンバと永久磁石とを含む第1のマグナレトラクタ装置を提供する工程;
マグナレトラクタ装置の再密封可能なチャンバを開封する工程;
再密封可能なチャンバから永久磁石を取り出す工程;
マグナレトラクタ装置を滅菌する工程;
取り出された永久磁石を、再密封可能なチャンバに再挿入する工程;および
第2のマグナレトラクタ装置の再密封可能なチャンバを再密封する工程
を含む、外科手術準備方法。
[請求項1093]
第2のマグナレトラクタ装置の再密封可能なチャンバを密封した後に、後の外科手術において第2のマグナレトラクタ装置を使用する工程をさらに含む、請求項1092記載の方法。
[請求項1094]
マグナレトラクタ装置を滅菌する工程が、マグナレトラクタ装置をオートクレーブに入れることを含む、請求項1092記載の方法。
[請求項1095]
前の外科手術において以前に用いられ、かつ第1の着脱可能なカバーを含むマグナレトラクタ装置を提供する工程;
マグナレトラクタ装置から第1の着脱可能なカバーを取り外す工程;
第2の着脱可能なカバーを提供する工程;および
第2の着脱可能なカバーをマグナレトラクタ装置の上に置く工程
を含む、外科手術準備方法。
[請求項1096]
第2の着脱可能なカバーをマグナレトラクタ装置の上に置いた後に、後の外科手術においてマグナレトラクタ装置を使用する工程をさらに含む、請求項1095記載の方法。
[請求項1097]
前の外科手術において以前に用いられ、かつ着脱可能な電磁石電源を含むマグナレトラクタ装置を提供する工程;
着脱可能な電磁石電源をマグナレトラクタ装置から取り外す工程;
マグナレトラクタ装置を滅菌する工程;および
着脱可能な電磁石電源をマグナレトラクタ装置に再接続する工程
を含む、外科手術準備方法。
[請求項1098]
第2の着脱可能なカバーをマグナレトラクタ装置の上に置いた後に、後の外科手術においてマグナレトラクタ装置を使用する工程をさらに含む、請求項1097記載の方法。
[請求項1099]
マグナレトラクタ装置を滅菌する工程が、マグナレトラクタ装置をオートクレーブに入れることを含む、請求項1097記載の方法。
[請求項1100]
前の外科手術において以前に用いられ、かつ着脱可能な電磁石電源を含む第1のマグナレトラクタ装置を提供する工程;
着脱可能な電磁石電源を第1のマグナレトラクタ装置から取り外す工程;
第2のマグナレトラクタ装置を提供する工程;および
電磁石電源を第2のマグナレトラクタ装置に接続する工程
を含む、外科手術準備方法。
[請求項1101]
第2の着脱可能なカバーをマグナレトラクタ装置の上に置いた後に、後の外科手術においてマグナレトラクタ装置を使用する工程をさらに含む、請求項1100記載の方法。
[請求項1102]
第1の体内装置と、
可動性であり、かつ身体に極めて接近して留置されるように適合された第1の体外装置と、
体内装置と嵌合し、かつ体内装置を患者の体内に留置するように適合された第1の留置装置と
を含む、外科手術システムであって、
体内装置が、患者の体内にありながら、体外装置に応答するように適合されている、
外科手術システム。
[請求項1103]
体内装置が、
本体と、
物体に付着するように適合された、本体の第1の末端と、
留置装置と係合されかつ留置装置から解放されるように適合された、本体の第2の末端と
を含む、請求項1102記載の外科手術システム。
[請求項1104]
留置装置が、
本体と、
本体の第1の末端に近接し、かつ体内装置を選択的に係合および解放するように適合されたコネクタと、
体内装置を係合および解放するために前記コネクタを制御するように前記コネクタに動作可能に接続された、本体の第2の末端に近接した第1のインターフェースと、
留置装置から体内装置へと力学的エネルギーを送るように適合された、第2の末端に近接した第2のインターフェースと
を含む、請求項1102記載の外科手術システム。
[請求項1105]
体外装置が
本体と、
本体に取り付けられたハンドルと、
本体に連結された磁気エネルギー源と
を含む、請求項1102記載の外科手術システム。
[請求項1106]
体内装置が患者の体内に留置された後、体内装置、体外装置、および留置装置の少なくとも1つを滅菌するためのオートクレーブをさらに含む、請求項1102記載の外科手術システム。
[請求項1107]
患者の身体の汚染を阻止するために、第1の体外装置を少なくとも部分的に覆う滅菌済みカバーをさらに含む、請求項1102記載の外科手術システム。
【手続補正３】
【補正対象書類名】図面
【補正対象項目名】全図
【補正方法】変更
【補正の内容】
【図１】
2011504767.tif 000001
【図２Ａ】
2011504767.tif 000002
【図２Ｂ】
2011504767.tif 000003
【図２Ｃ】
2011504767.tif 000004
【図２Ｄ】
2011504767.tif 000005
【図２Ｅ】
2011504767.tif 000006
【図２Ｆ】
2011504767.tif 000007
【図３Ａ】
2011504767.tif 000008
【図３Ｂ】
2011504767.tif 000009
【図３Ｃ】
2011504767.tif 000010
【図３Ｄ】
2011504767.tif 000011
【図３Ｅ】
2011504767.tif 000012
【図３Ｆ】
2011504767.tif 000013
【図３Ｇ】
2011504767.tif 000014
【図３Ｈ】
2011504767.tif 000015
【図４Ａ】
2011504767.tif 000016
【図４Ｂ】
2011504767.tif 000017
【図４Ｃ】
2011504767.tif 000018
【図４Ｄ】
2011504767.tif 000019